(57)【要約】  本発明は、試料溶液中のピロリン酸を、小型なセンサ素子で高感度かつ高精度で検出するピロリン酸の検出方法およびＳＮＰタイピング方法を提供する。本発明では、測定キャビティの容量を超える容量を有する試料溶液を、流路から前記測定キャビティに供給し、液滴を前記開口部から露出させる。液滴は球の形状を有する。球の形状は、液滴の表面に生じる表面張力によって維持されている。液滴に含まれる試料溶液の少なくとも一部を蒸発させ、測定キャビティに含まれる試料溶液のピロリン酸の濃度を増加させる。
2012169108.tif 000002
【特許請求の範囲】
【請求項１】
試料溶液に含有されるピロリン酸を検出する方法であって、以下の工程を具備する：
以下を具備するピロリン酸センサを用意する工程（ａ）、
絶縁性の基板、
絶縁性の基板上に設けられた測定極、
絶縁性の基板上に設けられた対極、
絶縁性の基板上に設けられ、かつ貫通孔である測定キャビティを内部に有する測定キャビティ側壁、
絶縁性の基板の法線方向から見たときに、測定キャビティに重なる測定キャビティ蓋、および
前記測定キャビティに連通する流路、ここで、
前記絶縁性の基板の法線方向から見たときに、前記測定キャビティは、測定極の一部および対極の一部に重なり合い、
前記測定キャビティ蓋は、貫通孔である開口部を具備し、
前記絶縁性の基板の法線方向から見たときに、前記開口部は、前記測定キャビティに含まれ、
前記測定キャビティの容量を超える容量を有する前記試料溶液を、前記流路から前記測定キャビティに供給し、液滴を前記開口部から露出させる工程（ｂ）、ここで、
前記液滴は、球の形状を有しており、
前記球の形状は、液滴の表面に生じる表面張力によって維持されており、
前記液滴に含まれる試料溶液の少なくとも一部を蒸発させ、測定キャビティに含まれる試料溶液のピロリン酸の濃度を増加させる工程（ｃ）、
前記測定極および対極を用いて前記試料溶液に流れる電流値を測定する工程（ｄ）、および
工程（ｄ）において測定された電流値に基づいて、ピロリン酸の濃度を決定する工程（ｅ）。
【請求項２】
請求項１に記載の方法であって、
前記開口部は円形であり、
測定キャビティは円筒形であり、
前記測定キャビティの直径は、前記開口部の直径の３倍以上である。
【請求項３】
請求項１記載のピロリン酸の検出方法において、
前記開口部１１０の周囲に凸部が形成されている。
【請求項４】
請求項１記載のピロリン酸の検出方法において、
前記液滴は、０．２ミリリットル以上０．５ミリリットル以下の容積を有する。
【請求項５】
請求項１記載のピロリン酸の検出方法において、
前記測定キャビティは、４００マイクロメートル以下の高さを有する。
【請求項６】
請求項１記載のピロリン酸の検出方法において、
前記測定キャビティは、２３０マイクロメートル以下の高さを有する。
【請求項７】
請求項１記載のピロリン酸の検出方法において、
前記試料溶液は、ピロフォスファターゼ、グリセルアルデヒド−３−リン酸デヒドロゲナーゼ、ジアホラーゼ、グリセルアルデヒド−３−リン酸、ヌクレオチド、電子メディエータ、および緩衝液成分を含有する。
【請求項８】
請求項１記載のピロリン酸の検出方法において、前記方法は、
前記工程（ｃ）の前に、前記試料溶液を加熱する工程をさらに具備する。
【請求項９】
請求項１記載のピロリン酸の検出方法において、
前記工程（ｃ）において、前記試料溶液が加熱される。
【請求項１０】
請求項１に記載の方法を用いる、ＳＮＰタイピング方法。
【発明の詳細な説明】
【技術分野】
【０００１】
本発明は、試料溶液中のピロリン酸を小型センサにおいて高感度かつ安定に測定する方法、ならびにそれを用いたＳＮＰタイピング方法に関する。
【背景技術】
【０００２】
近年、体外診断薬を含む分子診断市場は急速な伸びを示しており、遺伝子情報に関連する技術が盛んに開発されている。医療分野では、疾患関連遺伝子を解析することにより、疾患の分子レベルでの治療が可能となってきている。遺伝子解析を用いた診断によって、患者個人ごとに対応したテーラーメード医療も可能となってきた。テーラーメード医療では、薬物治療前の体質診断や感染症の診断を個々の遺伝子情報を解析し、患者個人毎に適切な治療や投薬が行われる。それゆえ、その場診断が望ましく、ＰＯＣＴ（Ｐｏｉｎｔ  ｏｆ  Ｃａｒｅ  Ｔｅｓｔｉｎｇ）性が高く、迅速、簡便な手法が求められている。【０００３】
また、遺伝子情報の中でも、遺伝子多型は特に重要である。我々の顔や体型などが様々であるように、一人一人の遺伝子情報もかなりの部分で異なっている。これらの遺伝子情報の違いのうち、塩基配列の変化が人口の１％以上の頻度で存在するものは、遺伝子多型と呼ばれている。これらの遺伝子多型は、個人の顔かたちだけでなく、様々な遺伝子疾患の原因や、体質、薬剤応答性、薬剤の副作用などに関連していると言われている。現在、これらの遺伝子多型と疾患などとの関連が、急速に調べられている。【０００４】
この遺伝子多型の中で、近年、ＳＮＰ（Ｓｉｎｇｌｅ  ｎｕｃｌｅｏｔｉｄｅ  ｐｏｌｙｍｏｒｐｈｉｓｍ）が特に注目されている。ＳＮＰは、遺伝子情報の塩基配列の中で、一塩基のみが異なっている遺伝子多型のことを指す。ＳＮＰは、ヒトゲノムＤＮＡ内に２〜３百万あると言われており、遺伝子多型のマーカーとして利用しやすい。このため、ＳＮＰの臨床への応用が期待されている。現在では、ＳＮＰ関連技術として、ゲノム中のＳＮＰの位置同定およびＳＮＰと疾患との関連性等の研究とともに、ＳＮＰ部位の塩基を判別するＳＮＰタイピング技術の開発が行われている。【０００５】
ＳＮＰタイピングの技術としては、ハイブリダイズを利用したもの、制限酵素を利用したもの、リガーゼ等の酵素を利用したもの等、様々な種類のものがある。それらの技術のうち、最も簡便な技術として、プライマー伸長反応を利用するものがある。この技術では、プライマー伸長反応が起こるか否かを判定することによって、ＳＮＰタイピングを行なう。プライマー伸長反応を利用したＳＮＰタイピング技術による検出方法として、実際のＤＮＡの増幅産物を蛍光色素を用いて検出する方法や、固定化プローブ電極を用いて電気的に検出する方法が考案されている。これらの方法の他に、ＤＮＡポリメラーゼによる核酸合成の副産物であるピロリン酸を検出する方法も考案されている。この方法では、伸長反応の進行の差を検出するために、プライマー伸長反応の進行に伴って生成されるピロリン酸をＡＴＰに変換し、その後ルシフェラーゼ反応を利用してピロリン酸の量を測定する（非特許文献１を参照）【０００６】
一方で、ＤＮＡ伸長反応の過程で発生するピロリン酸を酵素反応で特異的に検出する手法が検討されている。ピロリン酸にＡＴＰスルフリラーゼを作用させた後、ルシフェラーゼ−ルシフェリン反応において光を生成することにより、検出する方法がある（特許文献１）。【０００７】
しかしながら、この方法は、光検出を行う点で、装置が大型になるという課題を有している。【０００８】
一方で、光検出を使用せず、ピロリン酸を電気化学的に検出する方法が検討されている。【０００９】
特許文献２によると、ＤＮＡのＳＮＰ配列に相補的な配列を持ち、かつＳＮＰ部位を有するＤＮＡプローブと、ＤＮＡポリメーラーザ、デオキシヌクレオチドを含む反応系に試料を供して、ＰＣＲ反応によって、ＤＮＡプローブを伸長させ、ＤＮＡプローブの伸長反応に伴って生成されるピロリン酸をポロフォスファーゼによって無機リン酸へと返還し、さらにグリセルアルデヒド−３−リン酸、酸化型ニコチンアミドアデニンジムクレオチド、グリセルアルデヒド−３−リン酸デヒドロゲナーゼ、ジアホラーゼおよび電子メディエータとしてフェリシアン化カリウムを含む測定系を用いて、最終的には電極で電流値を測定することによって、ＤＮＡのＳＮＰ配列をタイピングする方法が示されている。この方法によれば、ピロリン酸を含む試料を測定系に加えてから１００秒以内にＳＮＰ配列が判別可能であることが述べられている。【００１０】
この方法では、ピロリン酸の測定およびＳＮＰのタイピングは、電子メディエータの酸化還元反応を電気化学的に測定することによって可能である。この方法は、光学系を必要としない簡便かつ高感度な方法として開示されている（特許文献２）。【００１１】
さらに、反応系の緩衝液成分および酵素などを最適に分離して配置することで、測定を高感度化できることが開示されている。（特許文献３）【００１２】
これらの検出方法でＳＮＰタイピングを行うとき、まず検体として患者の血液などからＤＮＡの鋳型を抽出する。このとき、患者の身体的および精神的負担をできる限り小さくするために、患者から摂取する検体の量は出来る限り少量で済むことが強く求められる。また、診断項目が多岐にわたる場合、複数種のＳＮＰタイピングを同時に行うので、複数個のセンサ素子を用いる。このとき、一つのセンサ素子で検出に用いる検体の量が出来る限り少量で済むことが強く望まれる。これらの背景より、少量の試料溶液に対応する、小型のＳＮＰタイピングセンサの開発が非常に強く求められている。
【先行技術文献】
【特許文献】
【００１３】
【特許文献１】特開２００２−３６９６９８号公報
【特許文献２】国際公開第０３／０７８６５５号
【特許文献３】特許第４２０２４０７号公報
【非特許文献】
【００１４】
【非特許文献１】Ｊ．ＩｍｍｕｎｏｌｏｇｉｃａｌＭｅｔｈｏｄ，１５６，５５−６０，１９９２
【非特許文献２】Ｓｃｉｅｎｃｅ  ａｎｄ  Ｔｅｃｈｎｏｌｏｇｙ  ｏｆ  Ａｄｖａｎｃｅｄ  Ｍａｔｅｒｉａｌ，  ６  （２００５）  ６７１
【発明の概要】
【発明が解決しようとする課題】
【００１５】
本発明は、上記課題を解決するためになされたものであり、試料溶液中のピロリン酸を、小型なセンサ素子で高感度かつ高精度で検出するピロリン酸の検出方法およびＳＮＰタイピング方法を提供することを目的とする。
【課題を解決するための手段】
【００１６】
本発明の一態様は、試料溶液中のピロリン酸を、小型なセンサ素子で高感度かつ高精度で検出するピロリン酸の検出方法およびＳＮＰタイピング方法を提供する。本発明の一態様では、測定キャビティ１７の容量を超える容量を有する試料溶液を、流路１８から前記測定キャビティ１７に供給し、液滴２１１を前記開口部１１０から露出させる。液滴２１１は球の形状を有する。球の形状は、液滴２１１の表面に生じる表面張力によって維持されている。液滴２２１に含まれる試料溶液の少なくとも一部を蒸発させ、測定キャビティ１７に含まれる試料溶液のピロリン酸の濃度を増加させる。
【発明の効果】
【００１７】
本発明の一態様によれば、試料溶液中のピロリン酸を、非常に小型なセンサ素子で高感度かつ高精度で検出するピロリン酸の検出方法およびＳＮＰタイピング方法を提供することができる。
【図面の簡単な説明】
【００１８】
【図１】本発明の一実施の形態に係る電極基板の構造を示す斜視図
【図２】本発明の一実施の形態に係るピロリン酸の測定方法およびＳＮＰタイピング方法を示す断面図
【図３】本発明の一実施の形態に係るピロリン酸の測定方法およびＳＮＰタイピング方法を示す、  （ａ）測定系の様式図  （ｂ）測定のシーケンス
【図４】本発明の一実施の形態の結果を示すグラフ
【図５】本発明の一実施の形態の結果を示すグラフ
【図６】従来のピロリン酸センサの電極基板の構造を示す斜視図
【図７】従来のピロリン酸センサを小型化した時の構造を示す断面図
【図８】従来の電気化学センサを小型化と高感度化の両立の一実施例を示す断面図
【図９】本発明の一実施の形態の結果を示す写真
【発明を実施するための形態】
【００１９】
（本発明の基礎となった知見）
本発明者は、「背景技術」の欄において記載したセンサに関し、鋭意研究により、検討を重ねた末、以下の知見を得た。
【００２０】
たとえば、ピロリン酸の測定およびＳＮＰのタイピングでは、図６に示すように絶縁基板６１上に測定極６２、対極６３、参照極６４を形成し、測定キャビティ６７を設けたセンサ素子を用いることができる。試料溶液を測定キャビティ６７に満たし、測定極６２に一定電圧を印可し、電流を検出するだけで簡便にピロリン酸の測定ができる。また、このようなセンサ素子の絶縁基板６１上に必要な試薬を乾燥担持しておくことによって、事前の試料溶液の調合の手間を省けるため、非常に簡便な操作で測定が可能になる。
【００２１】
しかしながら、検体を含む試料溶液が少量になり、センサが小型になると、検出感度の低下が問題になる。その理由を、図７を参照しながら説明する。
【００２２】
少量の試料溶液に対応するために、例えばセンサの容器の高さを一定とし、容器の径を小さくする（図７（ａ））。しかしながら、この方法では、容器の底面の面積が小さくなるにつれて、測定極の面積を小さくせざるを得ない。検出電流値は電極面積に比例するので、測定極の面積の減少は、センサ感度の低下をもたらす。
【００２３】
また、別の方法では、少量の試料溶液に対応するために、例えば電極面積を一定にし、容器の高さを小さくする（図７（ｂ））。しかしながら、この方法では、容器の高さが試料溶液中の電流に関与する反応種の拡散層の厚み（概ね３００ｍｍ以下）を下回ると、反応種の供給が不十分になりうる。そのため、測定中に検出電流値が明らかに低下し、検出電流地の低下がセンサ感度の低下をもたらす。さらに、この方法では面積優位性を確保できないため、センサを高密度に配置できないという欠点もある。
【００２４】
このような課題を解決する方法として、従来から、試料溶液の溶媒成分の一部を測定前に意図的に蒸発させ、検体中の電気化学反応種の濃度を上昇させた後に測定する方法が提案されてきた（例えば、非特許文献２）。この方法によれば、同じ測定極面積で試料溶液の溶媒が蒸発しない系と比較した場合（図８（ａ）、（ｂ））、蒸発により試料溶液の液滴８０が濃縮されることによって（図８（ｃ））、単位面積あたりに電極に到達する反応種が増加し、検出電流値を増加させることができる。すなわち、電極面積が小さくなることによる検出感度の低下を蒸発濃縮によって補い、検出感度を高くすることができる。しかしながら、開示されている方法に従うと、測定中の液滴８０が大気中に常に露出する。このため、濃縮の度合いが外部の温度や湿度に容易に影響されてしまい、測定の精度が悪くなることが課題であった。特に、試料溶液が少量の場合、濃縮進む速度が速くなる傾向にあるため、測定のタイミングを制御することが難しく、測定の精度が極めて悪くなる。そのため、この方法はこれまでのところ実用化には至っていない。
【００２５】
すなわち、センサを小型にしたとき、試料溶液の蒸発によって反応に関与する反応種を濃縮して検出電流を増加させて高感度化することと、検出電流値の安定化をはかることは、相反する関係となり、その両立が困難なことが、非常に大きな課題となっていた。
【００２６】
以上の点を考慮し、本発明者は、試料溶液中のピロリン酸を、非常に小型なセンサ素子で高感度かつ高精度で検出するピロリン酸の検出方法およびＳＮＰタイピング方法を見出した。
本発明の１つの態様は、試料溶液に含有されるピロリン酸を検出する方法に関する。本態様に係る試料溶液に含有されるピロリン酸を検出する方法は、以下の工程を具備する：
以下を具備するピロリン酸センサを用意する工程（ａ）、
絶縁性の基板、
絶縁性の基板上に設けられた測定極、
絶縁性の基板上に設けられた対極、
絶縁性の基板上に設けられ、かつ貫通孔である測定キャビティを内部に有する測定キャビティ側壁、
絶縁性の基板の法線方向から見たときに、測定キャビティに重なる測定キャビティ蓋、および
測定キャビティに連通する流路、ここで、
絶縁性の基板の法線方向から見たときに、測定キャビティは、測定極の一部および対極の一部に重なり合い、
測定キャビティ蓋は、貫通孔である開口部を具備し、
絶縁性の基板の法線方向から見たときに、開口部は、測定キャビティに含まれ、
測定キャビティの容量を超える容量を有する試料溶液を、流路から測定キャビティに供給し、液滴を開口部から露出させる工程（ｂ）、ここで、
液滴は、球の形状を有しており、
球の形状は、液滴の表面に生じる表面張力によって維持されており、
液滴に含まれる試料溶液の少なくとも一部を蒸発させ、測定キャビティに含まれる試料溶液のピロリン酸の濃度を増加させる工程（ｃ）、
測定極および対極を用いて試料溶液に流れる電流値を測定する工程（ｄ）、および
工程（ｄ）において測定された電流値に基づいて、ピロリン酸の濃度を決定する工程（ｅ）。
【００２７】
以下、本発明の実施の形態について、図面を参照しながら説明する。
【００２８】
（実施の形態１）
図１は、本発明の一実施の形態に係る電極基板の構造を示す斜視図である。絶縁基板１１には、測定極１２、対極１３、参照極１４が形成されている。それぞれの電極は、金、白金、パラジウムなどの貴金属やカーボン膜などから選択することが可能であるが、表面状態の安定性などの観点から金を選択することが望ましい。
【００２９】
参照極１４は、溶液中における電位の安定性から、不分極性を示す照合電極を用いることが望ましく、取り扱いの簡便性等から、銀・塩化銀電極を選択することが好ましい。銀・塩化銀電極の形成方法として、金や白金などで形成された電極パターンの参照極部位上に、銀メッキ又は銀薄膜を堆積し、塩化ナトリウム水溶液中で電圧を印加して表面を塩化銀化する方法、銀・塩化銀ペースト材料で電極本体を構成する方法、銀ペーストの表面を次亜塩素酸ナトリウム等の水溶液と接触させる方法、等を上げることができる。
【００３０】
各電極は、導電性パターンによって、外部回路との接続部分である端子部と電気的に接続されている。導電性パターンおよび端子部は、電極部分と同様の材料で形成されることが、製造工程の観点から望ましい。絶縁基板１１上への電極および導電性パターンの形成方法としては、導電性材料のスパッタまたは蒸着後フォトリソグラフィを用いたエッチングもしくはレーザによる不要箇所のトリミング、ステンシルマスクを用いた電極パターンの直接スパッタリング、等が考えられる。
【００３１】
絶縁基板１１としては、シリコン等の半導体を支持基板とし、その上に絶縁性薄膜を堆積したもの、あるいは、ガラス、セラミック、樹脂等を選択することができる。微細なセンサを一度に生産性よく得るためには、半導体プロセスと親和性によい絶縁基板を利用することが好ましい。シリコンウェハ上に熱ＣＶＤ法あるいはプラズマＣＶＤ法で、酸化ケイ素膜または窒化ケイ素膜を１００ｎｍ〜１ｍｍ形成した基板を用いることが特に好ましい。
【００３２】
測定キャビティ壁面１５および測定キャビティ蓋１６の材料として、試料液と反応しない材料を選択する必要があり、シリコン、ゲルマニウム等の半導体、石英ガラス、鉛ガラス、ホウ珪酸ガラスなどのガラス、セラミック、樹脂等を選択することができる。製造の容易性、ディスポーザブルのバイオセンサとしての用途、加工のしやすさやコスト面から考えて、樹脂材料を選択することが望ましい。その樹脂材料としては、ポリカーボネート（ＰＣ），ポリスチレン（ＰＳ）、ポリプロピレン（ＰＰ）、ポリプロピレン（ＰＰ）、ポリイミド（ＰＩ）、ポリ四フッ化エチレン（ＰＴＦＥ）、ポリフェニレンサルファイド（ＰＰＳ）、ポリエーテルエーテルケトン（ＰＥＥＫ）、ポリエチレンテレフタレート（ＰＥＴ）、ポリメチルメタクリレート（ＰＭＭＡ）、ポリエチレン−２．６−ナフタレート（ＰＥＮ）、環状オレフィン共重合体（ＣＯＣ）、ポリジメチルシルオキサン（ＰＤＭＳ）等から選択することができる。キャビティ壁面１５およびキャビティ蓋１６の形成方法は、基板の切削加工およびエッチングの他、金型による成型、熱転写によるエンボス加工等を用いることができる。
【００３３】
測定キャビティ壁面１５には、ＰＤＭＳを用いることが特に好ましい。測定キャビティ壁面１５の形成方法としては、小型なセンサ素子の形成を考えると、電極部と高い精度でアライメントを取りやすい手法を用いるのが好ましく、透明な金型を用いて、モールディング法により基板上にＰＤＭＳを転写する方法が特に好ましい。
【００３４】
測定キャビティ蓋１６の表面は、ＨＭＤＳ（ヘキサメチルジシラン）などで撥水処理されていることが特に望ましい。
【００３５】
また、測定キャビティ１７は、流路１８を介して、注入口１９と接続されている。測定キャビティ１７は、前記流路１８および前記注入口１９は測定キャビティ壁面１５と同一の材料および方法で形成されていることが好ましい。
【００３６】
測定キャビティ蓋１６の開口部１１０の形成方法は、機械的な切削加工、レーザによる切削加工、エッチング、などの方法などから選択することができる。開口部１１０は、測定極１２の直上に配置することが特に望ましく、開口部１１０の形状は円形であることが望ましい。その開口部１１０の直径は、試料溶液に含まれる物質が最低限通過できて、かつできる限り小さいほうがよい。キャビティの直径の３分の１以下であること、面積比に換算すると９分の１以下が、キャビティ内の試料溶液の蒸発を十分に抑制できるという観点から望ましい。また、開口部１１０の外周部は凸状に盛り上がっているほうが、開口部１１０の外部に液滴が漏れないという観点から、特に好ましい。切削加工などにより形成されたバリが、この凸形状として利用されても良い。
【００３７】
測定キャビティ側壁１５と測定キャビティ蓋１６とを密封する方法として、エポキシなどの接着剤で貼り合わせる方法、機械的にクランピングする方法、などが考えられる。特に測定キャビティ側壁１５にシリコンとキャビティ蓋にガラスを用いる場合は、陽極酸化法を用いて密封することが密閉性の観点から好ましい。また、測定キャビティ蓋１６によって試料溶液の注入口１９が覆われないように密封することが好ましい。また、測定キャビティ側壁１５とキャビティ蓋１６は、両者が一体化した構造を有するよう形成されてもよい。
【００３８】
試料溶液は、測定対象のピロリン酸に加えて、ピロフォスターゼ、グリセルアルデヒド−３−リン酸デヒドロゲナーゼ、ジアホラーゼ、グリセルアルデヒド−３−リン酸、ヌクレオチド類、電子メディエータ、および緩衝液成分で構成されることが好ましい。
【００３９】
また、操作の簡便性の観点から、測定キャビティ１７の内のセンサの絶縁基板１１上に、緩衝液成分、電子メディエータ、マグネシウム塩を含む第一の反応試薬層、ピロフォスファターゼおよびグリセルアルデヒド−３−リン酸デヒドロゲナーゼ、ジアボラーゼを含む第２の試薬層、グリセルアルデヒド−３−リン酸を含む第３の反応試薬層、および酸化型ニコチンアミド時ヌクレオチドを含む第４の反応試薬層をあらかじめ担持させていてもよい。上記の４つの反応試薬層に分割することが最も好ましい。
【００４０】
電子メディエータとしては、水溶性であって酸化体で安定しているものが望ましく、例えばフェリシアン化カリウムを用いることができる。後述する実施例からも理解されるように、このセンサの検出能および検出安定性を評価する方法として、測定対象になるピロリン酸のモル濃度の４倍のフェロシアン化カリウムを硝酸カリウム等の溶媒に溶かした水溶液を、試料溶液として用いてもよい。その理由は、１分子のピロリン酸は、上記の酵素を介した反応を受けて、電子メディエータとして機能するフェリシアン化カリウムを４分子のフェロシアン化カリウムに変化させることができるからである。
【００４１】
マグネシウム塩としては、マグネシウムイオンを含み、水溶性であって、ｐＨが中性〜弱アルカリ性のものであればよく、例えば塩化マグネシウムを用いることができる。
【００４２】
酸化型ニコチンアミドジヌクレオチド（ＮＡＤ＋）に代えて、酸化型ニコチンアミドジヌクレオチドリン酸（ＮＡＤＰ＋）を用いても良い。本明細書においては、酸化型ニコチンアミドジヌクレオチド、酸化型ニコチンアミドジヌクレオチドリン酸、これらの組み合わせをそれぞれヌクレオチド類ともいう。
【００４３】
続いて、上記のセンサ素子および試料溶液を用いたピロリン酸の検出方法について、図２を参照しながら説明する。
【００４４】
まず、試料溶液を注入口１９から流路１８を介して、測定キャビティ１７に供給する（図２（ａ））。測定キャビティ１７が試料溶液で満たされるまで、試料料溶液の供給を続ける（図２（ｂ））。このとき、測定キャビティ１７中の試料溶液を外部ヒータ等で加熱し、酵素による化学反応を促進させるとよい。試料溶液の温度が３０〜４０℃になるように加熱し、５分〜１０分保持することが特に好ましい。
【００４５】
その後、測定キャビティ１７の容積を上回る量の試料溶液を導入し、開口部１１０から前記測定キャビティ１７の外側に前記試料溶液の一部を露出させる（図２（ｃ））。このとき、露出させる液滴の量が開口部１１０の外部への染み出さないことが望ましく、表面張力で球状の表面が維持できる限界を超えないことが特に好ましい。具体的には、キャビティ蓋をＨＭＤＳによる撥水処理や、開口部１１０の外周部に凸部を設け、液滴の大部分が開口部１１０の外部にはみ出ないようにするために、露出させる液滴の量は０．５ｍｌ以下が望ましい。液滴の濃縮による検出電流の増加を効果的に得るためには、露出させる液滴の量は０．２ｍｌ以上が好ましい。
【００４６】
次いで、一定の時間、測定キャビティ１７に供給された試料溶液を放置することで、（図（ｄ））、液滴１１１の溶媒成分である水分を蒸発させる（図２（ｅ））。放置する時間は、露出させた液滴の量、および外部の気温、湿度による。０．２ｍｌ以下の液滴の場合、５分以上放置すれば露出液滴は消失し、開口部１１０に濃縮層が形成される。このとき、測定キャビティ１７を外部ヒータ等で加熱することで溶媒の蒸発を促し、蒸発にかかる時間を短縮してもよい。また、液滴１１１を露出させる前後で、試料溶液の温度を変化させてもよい。露出している液滴１１１のみ温度を上昇させるために、外部よりレーザなどで液滴１１１を局所的に加熱してもよい。その後、液滴中の溶媒の蒸発が収まった後に（図２（ｆ））、測定極１２に一定の電圧を印可し、電流の測定を開始する。液滴が溶媒の蒸発により、小さくなった場合、または開口部１１０の外から露出しなくなったときに、蒸発速度は著しく低下する。そのため、これ以上の濃縮は起こらなくなり、測定される電流は、増加すると同時にその電流値のバラツキは小さくなる。なお、このとき、液滴１１１が僅かに残留する状態で、露出する液滴１１１を測定キャビティ１７内に戻しても、ほぼ同様の濃縮による電流増加効果が得られる。
【００４７】
（実施例１）
以下、本発明のバイオセンサでの検出方法についてさらに具体的に説明する。
【００４８】
まず、絶縁基板１１として厚さ７００ｍｍのシリコン基板に、プラズマＣＶＤ法によって、厚さ１００ｎｍの窒化ケイ素膜を堆積した。次いで、レジストを塗布し、フォトリソグラフィによって電極形成部のみのレジストを取り除いた。次に、電子線蒸着法によって、密着層として厚さ５ｎｍのチタン薄膜を堆積した後、厚さ１００ｎｍの金薄膜を堆積した。その後、リフトオフにより、不要な部分を除くことによって、測定極１２、対極１３、参照極１４、および端子を形成した。形成した様々な面積の測定極１２のうち、最も小さなものは、０．４９ｍｍ２であった。
【００４９】
測定キャビティ側壁１５は、測定キャビティ１７部にＰＭＭＡで作成した透明な金型（モールド）を基板に押し付け、測定キャビティ１７以外の箇所にＰＤＭＳをモールドの外側から注入し、８５℃、３０分の条件下で加熱・硬化を行い、最後にモールドを取り除くことによって形成した。測定キャビティ１７の高さ、すなわちＰＤＭＳ層の厚みは２３０ｍｍであった。この方法によって同時に、測定キャビティ１７に接続される流路１８および注入口１９も形成した。キャビティ部分には、直径６００ｍｍの開口部１１０を設けた厚さ３０ｍｍのＰＥＴフィルムで蓋をした。蓋の表面はＨＭＤＳ（ヘキサメチルジシラン）などで撥水処理を行った。表面は図９の三角印で示された箇所である。なお、作製した開口部１１０は機械加工によるバリが発生したため、その外周部が約２０〜４０ｍｍ程度盛り上がっていた（図９（ａ））。撥水処理後のＰＥＴフィルムに超純水を滴下してその接触角を測定したところ概ね１３５°程度であった（図９（ｂ））。開口部１１０から液滴を露出させた場合は、外周部が凸形状のため、すなわち開口部外周の凸部分Ｘ１６が形成されているため、周囲への液滴の染み出しが抑制され、その接触角は１５０°以上にも及んだ（図９（ｃ））。
【００５０】
蓋の開口部１１０は、測定極１２の真上に来るように配置した。形成した様々な容量の測定キャビティのうち、容量が最も小さいものは０．５ｍｌで、その直径は１．８ｍｍ、その電極面積は前述した通り０．４９ｍｍ２であった。
【００５１】
このセンサの検出感度を調べるために、以下の条件のもとで実験を行った。ＳＮＰタイピングを想定し、ＤＮＡプローブが１００塩基対の伸長反応を起こし、５００ｎＭの濃度までＰＣＲで増幅された場合に生成されるピロリン酸の濃度０．１ｍＭの４倍に相当する濃度のフェロシアン化カリウムを用い、サイクリックボルタンメトリー法により−０．６Ｖ〜０．８Ｖの間で酸化還元電流を測定した。掃引速度は、１００ｍＶ／秒とし、フェロシアン化カリウムが酸化されるときの最大電流値を合計４回繰り返して測定した。
【００５２】
試料溶液  ：０．４ｍＭ：フェロシアン化カリウムを含む硝酸カリウム水溶液
（１）  測定キャビティ蓋なし
（２）  測定キャビティ蓋あり
（３）  測定キャビティ蓋あり、試料溶液のうち０．２マイクロリットルを開口部１１０から露出させ濃縮後に測定
【００５３】
測定する電流値が大きく、その測定バラツキが少ないほうが好ましい。図４に示されるように、（１）の測定キャビティ蓋のない条件下では、測定中に試料溶液の溶媒成分が蒸発したため、検出電流値が測定を繰り返すにつれて増大し、測定値が大きくばらついた（誤差範囲はＣＶ値で約１２％）。
【００５４】
（２）の測定キャビティ蓋のある条件下では、蒸発が抑制されたため、（１）と比較して測定値のばらつきが極めて小さい。しかしながら、電極面積に比例して、検出電流値が低下した。
【００５５】
（３）の測定キャビティ蓋のある条件下で、液滴の濃縮後測定した。電極面積が小さく、試料溶液の容量が少ない場合において、電流値の増大が見られた。この検出電流値は、蒸発濃縮を行わない（２）の場合と比べて、最大で約２．２倍であった。さらに、測定回数に依存した電流値の増大は見られず、測定値のばらつきは（２）の場合とほとんど同等程度に極めて小さかった（誤差範囲はＣＶ値で１％以内）。
【００５６】
（実施の形態２）
図３は、本発明の一実施の形態を示すピロリン酸センサの構成およびその駆動シーケンスである。図３（ａ）に示されるように、実施の形態２におけるピロリン酸センサは、試料溶液を送液するための送液部３１２と測定キャビティへの送液を制御するための開閉バルブ３１３が、キャピラリー３１４を介して、接続されている。また開閉バルブ３１３と注入部３９は、流路３８を介して接続されており、この系によって、センサの測定キャビティ３７への送液が制御されている。さらに、センサ基板の直下にはヒータ３１５が接続されている。センサ部の構成は実施例１で示したものと同一である。図３（ｂ）に示した駆動シーケンスに基づき、試料溶液をセンサ部に供給、加熱、キャビティ外部へ露出、蒸発濃縮し、電流値の測定を行う構成となっている。
【００５７】
（実施例２）
以下の表１のように試料溶液２０ｍｌを調合し、図３（ａ）の構成を用いて実施例１で作成したセンサの測定キャビティ３７に０．５ｍＬだけ供給し、図３（ｂ）の駆動シーケンスを経てピロリン酸の測定を行った。図３（ｂ）より読み取れるように、露出させた液滴の量は０．２ｍＬであった。
【００５８】
【表１】
2012169108.tif 000003
【００５９】
測定極と測定キャビティ開口部との距離に相当するＰＤＭＳ層の厚みを変化させて測定を行った。図４に見られるように、ＰＤＭＳ層の厚みを薄くすることによって、検出電流値の増加が観測された。ＰＤＭＳ層の厚みが４００ｍｍのとき、厚み６８０ｍｍ以上の場合と比較して約１．３倍電流値が増大した。さらに、ＰＤＭＳ層の厚みが２３０ｍｍのとき、厚み６８０ｍｍ以上の場合と比較して約２倍電流値が増大した。これらの結果は、濃縮された反応種が測定極に近いほうが、電流値が大きくなることを示唆しており、本発明の効果が顕著にあらわれていることを示している。グラフには記載していないが、繰り返し測定を行った結果、測定値のばらつきはすべての測定においてＣＶ値で５％以下と小さかった。
【００６０】
（実施の形態３）
ＳＮＰタイピング測定対象のＤＮＡ試料液とともに、ＤＮＡのＳＮＰ配列に相補的な配列を持ち、かつＳＮＰ部位を有するＤＮＡプローブと、ＤＮＡポリメラーゼ、デオキシヌクレオチドを含む反応系を準備し、ＰＣＲ反応を起こすことによって、ＳＮＰタイピング測定対象のＤＮＡのＳＮＰ部位と、ＳＮＰ部位を有するＤＮＡプローブが相補的であった場合、ＤＮＡプローブを伸長させるとともにピロリン酸を生成することができる。一方、ＳＮＰタイピング測定対象のＤＮＡのＳＮＰ部位と、ＳＮＰ部位を有するＤＮＡプローブが非相補的な場合、ＤＮＡプローブの伸長は行われず、ピロリン酸は生成しない。その後、ＰＣＲ反応の終了した試料液をピロフォスターゼ、グリセルアルデヒド−３−リン酸デヒドロゲナーゼ、ジアホラーゼ、グリセルアルデヒド−３−リン酸、ヌクレオチド類、電子メディエータ、および緩衝液成分で構成される反応液と混合し、流路３８を介して測定キャビティ３７に移動させると、ＳＮＰタイプに応じたピロリン酸の定量を行うことができ、測定対象のＤＮＡのＳＮＰタイピングが可能となる。また、ＰＣＲ反応キャビティ中にＤＮＡポリメラーゼ、デオキシヌクレオチドを含む反応系担持しておけば、注入口３９からＳＮＰタイピング測定対象のＤＮＡ試料液のみを注入することによって、測定対象のＤＮＡのＳＮＰタイピングが可能となる。なお、ＰＣＲの反応キャビティからセンサの測定キャビティに試料液を移動させる方法は実施例２の要領で行えばよい。
【００６１】
（実施例３）
以下は、一実施の形態に係るＳＮＰタイピングセンサを用いて、試料溶液中のＤＮＡのＳＮＰタイピングを行った実施例について説明する。
【００６２】
まず、実施例１と同様にピロリン酸センサを作成した。測定方法は概ね実施例２と同等である。
【００６３】
ＳＮＰタイピングのモデルとして、テンプレートとしてＡＢ型とＯ型それぞれの血液から抽出したヒトゲノムを用いた。
【００６４】
ヒトゲノムの第六エクソンから、ＳＮＰ部位を含むＤＮＡ断片を増幅するプライマーとして、Ｃｏｎｔｒｏｌ  Ｐｒｉｍｅｒ１（５‘−ＴＡＧＧＡＡＧＧＡＴＧＴＣＣＴＣＧ−３’：配列番号１）およびＰｒｉｍｅｒ３（５’−ＴＴＣＴＴＧＡＴＧＧＣＡＡＡＣＡＣＡＧＴＴＡＡＣ−３’  ：配列番号２）、ＳＮＰタイピングを行うプライマーとして、Ｐｒｉｍｅｒ１‘（５’−ＴＡＧＧＡＡＧＧＡＴＧＴＣＣＴＣＧＴＧＡＣＧ：配列番号３）、Ｐｒｉｍｅｒ３を用いて測定を行った。このＳＮＰタイピングプライマーはＡＢ型の血液に対してのみ特異的に伸長反応を起こす。
【００６５】
まず、東洋紡製のＫＯＤ−ＦＸポリメラーゼ：０．２ｍＬ、２×ＫＯＤ−Ｂｕｆｆｅｒ：５ｍＬ、２ｍＭｄＮＴＰ：１ｍＬ、１０ｍＭ  Ｐｒｉｍｅｒ１：１ｍＬ、１０ｍＭ  Ｐｒｉｍｅｒ３：１ｍＬに、テンプレート１：１．８ｍＬを加え、ＰＣＲ反応を９８℃３０秒、６０℃３０秒、６８℃３０秒の条件で３５サイクル行った。さらにこのＰＣＲ産物を１０００倍に希釈したものをテンプレート２として２ｍＬ採取し、タカラバイオ製のＴａｑ−ポリメラーゼ：０．２ｍＬ、ＰＣＲ  ｍｉｘ：３ｍＬ、Ｐｒｉｍｅｒ１‘：２ｍＬ、Ｐｒｉｍｅｒ３：２ｍＬ、蒸留水１０．８ｍＬと混合し、ＰＣＲ反応を９５℃３０秒、６０℃３０秒、７２℃３０秒の条件で３５サイクル行った。この試料液のうち１０ｍＬだけを取り出し、２．５ｍＬの水と混ぜた後、以下の表２に示される反応液を混合し、実施例２の方法でセンサの測定キャビティに導入し、測定を行った。測定結果を表３に示す。
【００６６】
【表２】
2012169108.tif 000004
【００６７】
【表３】
2012169108.tif 000005
【００６８】
表３から明らかなように、ＡＢ型の血液由来のＤＮＡに対してのみ特異的に伸長反応を起こし、それによって生成されたピロリン酸が、測定キャビティにおける電気化学測定によって検出された。一方、Ｏ型では、特異的な伸長反応が起こらず検出されたピロリン酸が相対的に少ないため、電流は殆ど観測されなかった。また５回の連続測定によって求めたＣＶ値も小さく、ＳＮＰタイピング大きな影響を与えない。これらの結果より、極めて少量な検体で、かつ小型なセンサにおいて、ＳＮＰタイピング可能なレベルの電流値が得られたことと同時に、安定な測定を実現した。ＳＮＰ部位のモデルである一塩基ミスマッチのタイピングを少量検体でかつ小型なセンサにおいて行うことができた。
【００６９】
上記の実施形態から導出される発明が以下、記述される。
１．  試料溶液に含有されるピロリン酸を検出する方法であって、以下の工程を具備する：
以下を具備するピロリン酸センサを用意する工程（ａ）、
絶縁性の基板１１、
絶縁性の基板１１上に設けられた測定極１２、
絶縁性の基板１１上に設けられた対極１３、
絶縁性の基板１１上に設けられ、かつ貫通孔である測定キャビティ１７を内部に有する測定キャビティ側壁１５、
絶縁性の基板１１の法線方向から見たときに、測定キャビティ１７に重なる測定キャビティ蓋１６、および
前記測定キャビティ１７に連通する流路１８、ここで、
前記絶縁性の基板１１の法線方向（図１のＺ方向）から見たときに、前記測定キャビティ１７は、測定極１２の一部および対極１３の一部に重なり合い、
前記測定キャビティ蓋１６は、貫通孔である開口部１１０を具備し、
前記絶縁性の基板１１の法線方向から見たときに、前記開口部１１０は、前記測定キャビティ１７に含まれ、
前記測定キャビティ１７の容量を超える容量を有する前記試料溶液を、前記流路１８から前記測定キャビティ１７に供給し、液滴２１１を前記開口部１１０から露出させる工程（ｂ）、ここで、
前記液滴２１１は、球の形状を有しており、
前記球の形状は、液滴２１１の表面に生じる表面張力によって維持されており、
前記液滴２２１に含まれる試料溶液の少なくとも一部を蒸発させ、測定キャビティ１７に含まれる試料溶液のピロリン酸の濃度を増加させる工程（ｃ）、
前記測定極１２および対極１３を用いて前記試料溶液に流れる電流値を測定する工程（ｄ）、および
工程（ｄ）において測定された電流値に基づいて、ピロリン酸の濃度を決定する工程（ｅ）。
この発明は、試料溶液に含有されるピロリン酸が高感度かつ高精度で検出されることを可能にする。
【００７０】
２．前記項目１に記載の方法において、
前記開口部１１０は円形であり、
測定キャビティ１７は円筒形であり、
前記測定キャビティ１７の直径は、前記開口部１１０の直径の３倍以上である。
この発明は、試料溶液に含有されるピロリン酸が高感度かつ高精度で検出されることを可能にする。
【００７１】
３．前記項目１に記載の方法において、
前記開口部１１０の周囲に凸部が形成されている。
この発明は、試料溶液に含有されるピロリン酸が高感度かつ高精度で検出されることを可能にする。
【００７２】
４．前記項目１に記載の方法において、
前記液滴２１１は、０．２ミリリットル以上０．５ミリリットル以下の容積を有する。
この発明は、試料溶液に含有されるピロリン酸が高感度かつ高精度で検出されることを可能にする。
【００７３】
５．前記項目１に記載の方法において、
前記測定キャビティ１７は、４００マイクロメートル以下の高さを有する。
この発明は、試料溶液に含有されるピロリン酸が高感度かつ高精度で検出されることを可能にする。
【００７４】
６．前記項目１に記載の方法において、
前記測定キャビティ１７は、２３０マイクロメートル以下の高さを有する。
この発明は、試料溶液に含有されるピロリン酸が高感度かつ高精度で検出されることを可能にする。
【００７５】
７．前記項目１に記載の方法において、
前記試料溶液は、ピロフォスファターゼ、グリセルアルデヒド−３−リン酸デヒドロゲナーゼ、ジアホラーゼ、グリセルアルデヒド−３−リン酸、ヌクレオチド、電子メディエータ、および緩衝液成分を含有する。
この発明は、試料溶液に含有されるピロリン酸が高感度かつ高精度で検出されることを可能にする。
【００７６】
８．前記項目１に記載の方法において、
前記工程（ｃ）の前に、前記試料溶液を加熱する工程をさらに具備する。
この発明は、試料溶液に含有されるピロリン酸が高感度かつ高精度で検出されることを可能にする。
【００７７】
９．前記項目１に記載の方法において、
前記工程（ｃ）において、前記試料溶液が加熱される。
この発明は、試料溶液に含有されるピロリン酸が高感度かつ高精度で検出されることを可能にする。
【００７８】
１０．前記項目１に記載の方法を用いたＳＮＰタイピング法は、本発明の精神に含まれる。
【産業上の利用可能性】
【００７９】
本発明によれば、試料溶液中のピロリン酸を、非常に小型なセンサ素子で高感度かつ高精度で検出するピロリン酸の検出方法およびＳＮＰタイピング方法を提供することができる。
【符号の説明】
【００８０】
１１    絶縁基板
１２    測定極
１３    対極
１４    参照極
１５    測定キャビティ壁面
１６    測定キャビティ蓋
１７    測定キャビティ
１８    流路
１９    注入口
１１０  開口部
１１１  液滴
３１２  送液部
３１３  バルブ
３１４  キャピラリー
３１５  ヒータ
Ｘ１６  開口部外周の凸部分
【図１】
2012169108.tif 000006
【図２】
2012169108.tif 000007
【図３】
2012169108.tif 000008
【図４】
2012169108.tif 000009
【図５】
2012169108.tif 000010
【図６】
2012169108.tif 000011
【図７】
2012169108.tif 000012
【図８】
2012169108.tif 000013
【図９】
2012169108.tif 000014
【配列表】
2012169108000001.app
【手続補正書】
【提出日】平成24年12月7日(2012.12.7)
【手続補正１】
【補正対象書類名】明細書
【補正対象項目名】全文
【補正方法】変更
【補正の内容】
【発明の詳細な説明】
【技術分野】
【０００１】
本発明は、試料溶液中のピロリン酸を小型センサにおいて高感度かつ安定に測定する方法、ならびにそれを用いたＳＮＰタイピング方法に関する。
【背景技術】
【０００２】
近年、体外診断薬を含む分子診断市場は急速な伸びを示しており、遺伝子情報に関連する技術が盛んに開発されている。医療分野では、疾患関連遺伝子を解析することにより、疾患の分子レベルでの治療が可能となってきている。遺伝子解析を用いた診断によって、患者個人ごとに対応したテーラーメード医療も可能となってきた。テーラーメード医療では、薬物治療前の体質診断や感染症の診断を個々の遺伝子情報を解析し、患者個人毎に適切な治療や投薬が行われる。それゆえ、その場診断が望ましく、ＰＯＣＴ（Ｐｏｉｎｔ  ｏｆ  Ｃａｒｅ  Ｔｅｓｔｉｎｇ）性が高く、迅速、簡便な手法が求められている。
【０００３】
また、遺伝子情報の中でも、遺伝子多型は特に重要である。我々の顔や体型などが様々であるように、一人一人の遺伝子情報もかなりの部分で異なっている。これらの遺伝子情報の違いのうち、塩基配列の変化が人口の１％以上の頻度で存在するものは、遺伝子多型と呼ばれている。これらの遺伝子多型は、個人の顔かたちだけでなく、様々な遺伝子疾患の原因や、体質、薬剤応答性、薬剤の副作用などに関連していると言われている。現在、これらの遺伝子多型と疾患などとの関連が、急速に調べられている。
【０００４】
この遺伝子多型の中で、近年、ＳＮＰ（Ｓｉｎｇｌｅ  ｎｕｃｌｅｏｔｉｄｅ  ｐｏｌｙｍｏｒｐｈｉｓｍ）が特に注目されている。ＳＮＰは、遺伝子情報の塩基配列の中で、一塩基のみが異なっている遺伝子多型のことを指す。ＳＮＰは、ヒトゲノムＤＮＡ内に２〜３百万あると言われており、遺伝子多型のマーカーとして利用しやすい。このため、ＳＮＰの臨床への応用が期待されている。現在では、ＳＮＰ関連技術として、ゲノム中のＳＮＰの位置同定およびＳＮＰと疾患との関連性等の研究とともに、ＳＮＰ部位の塩基を判別するＳＮＰタイピング技術の開発が行われている。
【０００５】
ＳＮＰタイピングの技術としては、ハイブリダイズを利用したもの、制限酵素を利用したもの、リガーゼ等の酵素を利用したもの等、様々な種類のものがある。それらの技術のうち、最も簡便な技術として、プライマー伸長反応を利用するものがある。この技術では、プライマー伸長反応が起こるか否かを判定することによって、ＳＮＰタイピングを行なう。プライマー伸長反応を利用したＳＮＰタイピング技術による検出方法として、実際のＤＮＡの増幅産物を蛍光色素を用いて検出する方法や、固定化プローブ電極を用いて電気的に検出する方法が考案されている。これらの方法の他に、ＤＮＡポリメラーゼによる核酸合成の副産物であるピロリン酸を検出する方法も考案されている。この方法では、伸長反応の進行の差を検出するために、プライマー伸長反応の進行に伴って生成されるピロリン酸をＡＴＰに変換し、その後ルシフェラーゼ反応を利用してピロリン酸の量を測定する（非特許文献１を参照）
【０００６】
一方で、ＤＮＡ伸長反応の過程で発生するピロリン酸を酵素反応で特異的に検出する手法が検討されている。ピロリン酸にＡＴＰスルフリラーゼを作用させた後、ルシフェラーゼ−ルシフェリン反応において光を生成することにより、検出する方法がある（特許文献１）。
【０００７】
しかしながら、この方法は、光検出を行う点で、装置が大型になるという課題を有している。
【０００８】
一方で、光検出を使用せず、ピロリン酸を電気化学的に検出する方法が検討されている。
【０００９】
特許文献２によると、ＤＮＡのＳＮＰ配列に相補的な配列を持ち、かつＳＮＰ部位を有するＤＮＡプローブと、ＤＮＡポリメーラーザ、デオキシヌクレオチドを含む反応系に試料を供して、ＰＣＲ反応によって、ＤＮＡプローブを伸長させ、ＤＮＡプローブの伸長反応に伴って生成されるピロリン酸をポロフォスファーゼによって無機リン酸へと返還し、さらにグリセルアルデヒド−３−リン酸、酸化型ニコチンアミドアデニンジムクレオチド、グリセルアルデヒド−３−リン酸デヒドロゲナーゼ、ジアホラーゼおよび電子メディエータとしてフェリシアン化カリウムを含む測定系を用いて、最終的には電極で電流値を測定することによって、ＤＮＡのＳＮＰ配列をタイピングする方法が示されている。この方法によれば、ピロリン酸を含む試料を測定系に加えてから１００秒以内にＳＮＰ配列が判別可能であることが述べられている。
【００１０】
この方法では、ピロリン酸の測定およびＳＮＰのタイピングは、電子メディエータの酸化還元反応を電気化学的に測定することによって可能である。この方法は、光学系を必要としない簡便かつ高感度な方法として開示されている（特許文献２）。
【００１１】
さらに、反応系の緩衝液成分および酵素などを最適に分離して配置することで、測定を高感度化できることが開示されている。（特許文献３）
【００１２】
これらの検出方法でＳＮＰタイピングを行うとき、まず検体として患者の血液などからＤＮＡの鋳型を抽出する。このとき、患者の身体的および精神的負担をできる限り小さくするために、患者から摂取する検体の量は出来る限り少量で済むことが強く求められる。また、診断項目が多岐にわたる場合、複数種のＳＮＰタイピングを同時に行うので、複数個のセンサ素子を用いる。このとき、一つのセンサ素子で検出に用いる検体の量が出来る限り少量で済むことが強く望まれる。これらの背景より、少量の試料溶液に対応する、小型のＳＮＰタイピングセンサの開発が非常に強く求められている。
【先行技術文献】
【特許文献】
【００１３】
【特許文献１】特開２００２−３６９６９８号公報
【特許文献２】国際公開第０３／０７８６５５号
【特許文献３】特許第４２０２４０７号公報
【非特許文献】
【００１４】
【非特許文献１】Ｊ．ＩｍｍｕｎｏｌｏｇｉｃａｌＭｅｔｈｏｄ，１５６，５５−６０，１９９２
【非特許文献２】Ｓｃｉｅｎｃｅ  ａｎｄ  Ｔｅｃｈｎｏｌｏｇｙ  ｏｆ  Ａｄｖａｎｃｅｄ  Ｍａｔｅｒｉａｌ，  ６  （２００５）  ６７１
【発明の概要】
【発明が解決しようとする課題】
【００１５】
本発明は、上記課題を解決するためになされたものであり、試料溶液中のピロリン酸を、小型なセンサ素子で高感度かつ高精度で検出するピロリン酸の検出方法およびＳＮＰタイピング方法を提供することを目的とする。
【課題を解決するための手段】
【００１６】
本発明の一態様は、試料溶液中のピロリン酸を、小型なセンサ素子で高感度かつ高精度で検出するピロリン酸の検出方法およびＳＮＰタイピング方法を提供する。本発明の一態様では、測定キャビティ１７の容量を超える容量を有する試料溶液を、流路１８から前記測定キャビティ１７に供給し、液滴２１１を前記開口部１１０から露出させる。液滴２１１は球の形状を有する。球の形状は、液滴２１１の表面に生じる表面張力によって維持されている。液滴２２１に含まれる試料溶液の少なくとも一部を蒸発させ、測定キャビティ１７に含まれる試料溶液のピロリン酸の濃度を増加させる。
【発明の効果】
【００１７】
本発明の一態様によれば、試料溶液中のピロリン酸を、非常に小型なセンサ素子で高感度かつ高精度で検出するピロリン酸の検出方法およびＳＮＰタイピング方法を提供することができる。
【図面の簡単な説明】
【００１８】
【図１】本発明の一実施の形態に係る電極基板の構造を示す斜視図
【図２】本発明の一実施の形態に係るピロリン酸の測定方法およびＳＮＰタイピング方法を示す断面図
【図３】本発明の一実施の形態に係るピロリン酸の測定方法およびＳＮＰタイピング方法を示す、  （ａ）測定系の様式図  （ｂ）測定のシーケンス
【図４】本発明の一実施の形態の結果を示すグラフ
【図５】本発明の一実施の形態の結果を示すグラフ
【図６】従来のピロリン酸センサの電極基板の構造を示す斜視図
【図７】従来のピロリン酸センサを小型化した時の構造を示す断面図
【図８】従来の電気化学センサを小型化と高感度化の両立の一実施例を示す断面図
【図９】本発明の一実施の形態の結果を示す写真
【発明を実施するための形態】
【００１９】
（本発明の基礎となった知見）
本発明者は、「背景技術」の欄において記載したセンサに関し、鋭意研究により、検討を重ねた末、以下の知見を得た。
【００２０】
たとえば、ピロリン酸の測定およびＳＮＰのタイピングでは、図６に示すように絶縁基板６１上に測定極６２、対極６３、参照極６４を形成し、測定キャビティ６７を設けたセンサ素子を用いることができる。試料溶液を測定キャビティ６７に満たし、測定極６２に一定電圧を印可し、電流を検出するだけで簡便にピロリン酸の測定ができる。また、このようなセンサ素子の絶縁基板６１上に必要な試薬を乾燥担持しておくことによって、事前の試料溶液の調合の手間を省けるため、非常に簡便な操作で測定が可能になる。
【００２１】
しかしながら、検体を含む試料溶液が少量になり、センサが小型になると、検出感度の低下が問題になる。その理由を、図７を参照しながら説明する。
【００２２】
少量の試料溶液に対応するために、例えばセンサの容器の高さを一定とし、容器の径を小さくする（図７（ａ））。しかしながら、この方法では、容器の底面の面積が小さくなるにつれて、測定極の面積を小さくせざるを得ない。検出電流値は電極面積に比例するので、測定極の面積の減少は、センサ感度の低下をもたらす。
【００２３】
また、別の方法では、少量の試料溶液に対応するために、例えば電極面積を一定にし、容器の高さを小さくする（図７（ｂ））。しかしながら、この方法では、容器の高さが試料溶液中の電流に関与する反応種の拡散層の厚み（概ね３００μｍ以下）を下回ると、反応種の供給が不十分になりうる。そのため、測定中に検出電流値が明らかに低下し、検出電流地の低下がセンサ感度の低下をもたらす。さらに、この方法では面積優位性を確保できないため、センサを高密度に配置できないという欠点もある。
【００２４】
このような課題を解決する方法として、従来から、試料溶液の溶媒成分の一部を測定前に意図的に蒸発させ、検体中の電気化学反応種の濃度を上昇させた後に測定する方法が提案されてきた（例えば、非特許文献２）。この方法によれば、同じ測定極面積で試料溶液の溶媒が蒸発しない系と比較した場合（図８（ａ）、（ｂ））、蒸発により試料溶液の液滴８０が濃縮されることによって（図８（ｃ））、単位面積あたりに電極に到達する反応種が増加し、検出電流値を増加させることができる。すなわち、電極面積が小さくなることによる検出感度の低下を蒸発濃縮によって補い、検出感度を高くすることができる。しかしながら、開示されている方法に従うと、測定中の液滴８０が大気中に常に露出する。このため、濃縮の度合いが外部の温度や湿度に容易に影響されてしまい、測定の精度が悪くなることが課題であった。特に、試料溶液が少量の場合、濃縮進む速度が速くなる傾向にあるため、測定のタイミングを制御することが難しく、測定の精度が極めて悪くなる。そのため、この方法はこれまでのところ実用化には至っていない。
【００２５】
すなわち、センサを小型にしたとき、試料溶液の蒸発によって反応に関与する反応種を濃縮して検出電流を増加させて高感度化することと、検出電流値の安定化をはかることは、相反する関係となり、その両立が困難なことが、非常に大きな課題となっていた。
【００２６】
以上の点を考慮し、本発明者は、試料溶液中のピロリン酸を、非常に小型なセンサ素子で高感度かつ高精度で検出するピロリン酸の検出方法およびＳＮＰタイピング方法を見出した。
本発明の１つの態様は、試料溶液に含有されるピロリン酸を検出する方法に関する。本態様に係る試料溶液に含有されるピロリン酸を検出する方法は、以下の工程を具備する：
以下を具備するピロリン酸センサを用意する工程（ａ）、
絶縁性の基板、
絶縁性の基板上に設けられた測定極、
絶縁性の基板上に設けられた対極、
絶縁性の基板上に設けられ、かつ貫通孔である測定キャビティを内部に有する測定キャビティ側壁、
絶縁性の基板の法線方向から見たときに、測定キャビティに重なる測定キャビティ蓋、および
測定キャビティに連通する流路、ここで、
絶縁性の基板の法線方向から見たときに、測定キャビティは、測定極の一部および対極の一部に重なり合い、
測定キャビティ蓋は、貫通孔である開口部を具備し、
絶縁性の基板の法線方向から見たときに、開口部は、測定キャビティに含まれ、
測定キャビティの容量を超える容量を有する試料溶液を、流路から測定キャビティに供給し、液滴を開口部から露出させる工程（ｂ）、ここで、
液滴は、球の形状を有しており、
球の形状は、液滴の表面に生じる表面張力によって維持されており、
液滴に含まれる試料溶液の少なくとも一部を蒸発させ、測定キャビティに含まれる試料溶液のピロリン酸の濃度を増加させる工程（ｃ）、
測定極および対極を用いて試料溶液に流れる電流値を測定する工程（ｄ）、および
工程（ｄ）において測定された電流値に基づいて、ピロリン酸の濃度を決定する工程（ｅ）。
【００２７】
以下、本発明の実施の形態について、図面を参照しながら説明する。
【００２８】
（実施の形態１）
図１は、本発明の一実施の形態に係る電極基板の構造を示す斜視図である。絶縁基板１１には、測定極１２、対極１３、参照極１４が形成されている。それぞれの電極は、金、白金、パラジウムなどの貴金属やカーボン膜などから選択することが可能であるが、表面状態の安定性などの観点から金を選択することが望ましい。
【００２９】
参照極１４は、溶液中における電位の安定性から、不分極性を示す照合電極を用いることが望ましく、取り扱いの簡便性等から、銀・塩化銀電極を選択することが好ましい。銀・塩化銀電極の形成方法として、金や白金などで形成された電極パターンの参照極部位上に、銀メッキ又は銀薄膜を堆積し、塩化ナトリウム水溶液中で電圧を印加して表面を塩化銀化する方法、銀・塩化銀ペースト材料で電極本体を構成する方法、銀ペーストの表面を次亜塩素酸ナトリウム等の水溶液と接触させる方法、等を上げることができる。
【００３０】
各電極は、導電性パターンによって、外部回路との接続部分である端子部と電気的に接続されている。導電性パターンおよび端子部は、電極部分と同様の材料で形成されることが、製造工程の観点から望ましい。絶縁基板１１上への電極および導電性パターンの形成方法としては、導電性材料のスパッタまたは蒸着後フォトリソグラフィを用いたエッチングもしくはレーザによる不要箇所のトリミング、ステンシルマスクを用いた電極パターンの直接スパッタリング、等が考えられる。
【００３１】
絶縁基板１１としては、シリコン等の半導体を支持基板とし、その上に絶縁性薄膜を堆積したもの、あるいは、ガラス、セラミック、樹脂等を選択することができる。微細なセンサを一度に生産性よく得るためには、半導体プロセスと親和性によい絶縁基板を利用することが好ましい。シリコンウェハ上に熱ＣＶＤ法あるいはプラズマＣＶＤ法で、酸化ケイ素膜または窒化ケイ素膜を１００ｎｍ〜１μｍ形成した基板を用いることが特に好ましい。
【００３２】
測定キャビティ壁面１５および測定キャビティ蓋１６の材料として、試料液と反応しない材料を選択する必要があり、シリコン、ゲルマニウム等の半導体、石英ガラス、鉛ガラス、ホウ珪酸ガラスなどのガラス、セラミック、樹脂等を選択することができる。製造の容易性、ディスポーザブルのバイオセンサとしての用途、加工のしやすさやコスト面から考えて、樹脂材料を選択することが望ましい。その樹脂材料としては、ポリカーボネート（ＰＣ），ポリスチレン（ＰＳ）、ポリプロピレン（ＰＰ）、ポリプロピレン（ＰＰ）、ポリイミド（ＰＩ）、ポリ四フッ化エチレン（ＰＴＦＥ）、ポリフェニレンサルファイド（ＰＰＳ）、ポリエーテルエーテルケトン（ＰＥＥＫ）、ポリエチレンテレフタレート（ＰＥＴ）、ポリメチルメタクリレート（ＰＭＭＡ）、ポリエチレン−２．６−ナフタレート（ＰＥＮ）、環状オレフィン共重合体（ＣＯＣ）、ポリジメチルシルオキサン（ＰＤＭＳ）等から選択することができる。キャビティ壁面１５およびキャビティ蓋１６の形成方法は、基板の切削加工およびエッチングの他、金型による成型、熱転写によるエンボス加工等を用いることができる。
【００３３】
測定キャビティ壁面１５には、ＰＤＭＳを用いることが特に好ましい。測定キャビティ壁面１５の形成方法としては、小型なセンサ素子の形成を考えると、電極部と高い精度でアライメントを取りやすい手法を用いるのが好ましく、透明な金型を用いて、モールディング法により基板上にＰＤＭＳを転写する方法が特に好ましい。
【００３４】
測定キャビティ蓋１６の表面は、ＨＭＤＳ（ヘキサメチルジシラン）などで撥水処理されていることが特に望ましい。
【００３５】
また、測定キャビティ１７は、流路１８を介して、注入口１９と接続されている。測定キャビティ１７は、前記流路１８および前記注入口１９は測定キャビティ壁面１５と同一の材料および方法で形成されていることが好ましい。
【００３６】
測定キャビティ蓋１６の開口部１１０の形成方法は、機械的な切削加工、レーザによる切削加工、エッチング、などの方法などから選択することができる。開口部１１０は、測定極１２の直上に配置することが特に望ましく、開口部１１０の形状は円形であることが望ましい。その開口部１１０の直径は、試料溶液に含まれる物質が最低限通過できて、かつできる限り小さいほうがよい。キャビティの直径の３分の１以下であること、面積比に換算すると９分の１以下が、キャビティ内の試料溶液の蒸発を十分に抑制できるという観点から望ましい。また、開口部１１０の外周部は凸状に盛り上がっているほうが、開口部１１０の外部に液滴が漏れないという観点から、特に好ましい。切削加工などにより形成されたバリが、この凸形状として利用されても良い。
【００３７】
測定キャビティ側壁１５と測定キャビティ蓋１６とを密封する方法として、エポキシなどの接着剤で貼り合わせる方法、機械的にクランピングする方法、などが考えられる。特に測定キャビティ側壁１５にシリコンとキャビティ蓋にガラスを用いる場合は、陽極酸化法を用いて密封することが密閉性の観点から好ましい。また、測定キャビティ蓋１６によって試料溶液の注入口１９が覆われないように密封することが好ましい。また、測定キャビティ側壁１５とキャビティ蓋１６は、両者が一体化した構造を有するよう形成されてもよい。
【００３８】
試料溶液は、測定対象のピロリン酸に加えて、ピロフォスターゼ、グリセルアルデヒド−３−リン酸デヒドロゲナーゼ、ジアホラーゼ、グリセルアルデヒド−３−リン酸、ヌクレオチド類、電子メディエータ、および緩衝液成分で構成されることが好ましい。
【００３９】
また、操作の簡便性の観点から、測定キャビティ１７の内のセンサの絶縁基板１１上に、緩衝液成分、電子メディエータ、マグネシウム塩を含む第一の反応試薬層、ピロフォスファターゼおよびグリセルアルデヒド−３−リン酸デヒドロゲナーゼ、ジアボラーゼを含む第２の試薬層、グリセルアルデヒド−３−リン酸を含む第３の反応試薬層、および酸化型ニコチンアミド時ヌクレオチドを含む第４の反応試薬層をあらかじめ担持させていてもよい。上記の４つの反応試薬層に分割することが最も好ましい。
【００４０】
電子メディエータとしては、水溶性であって酸化体で安定しているものが望ましく、例えばフェリシアン化カリウムを用いることができる。後述する実施例からも理解されるように、このセンサの検出能および検出安定性を評価する方法として、測定対象になるピロリン酸のモル濃度の４倍のフェロシアン化カリウムを硝酸カリウム等の溶媒に溶かした水溶液を、試料溶液として用いてもよい。その理由は、１分子のピロリン酸は、上記の酵素を介した反応を受けて、電子メディエータとして機能するフェリシアン化カリウムを４分子のフェロシアン化カリウムに変化させることができるからである。
【００４１】
マグネシウム塩としては、マグネシウムイオンを含み、水溶性であって、ｐＨが中性〜弱アルカリ性のものであればよく、例えば塩化マグネシウムを用いることができる。
【００４２】
酸化型ニコチンアミドジヌクレオチド（ＮＡＤ＋）に代えて、酸化型ニコチンアミドジヌクレオチドリン酸（ＮＡＤＰ＋）を用いても良い。本明細書においては、酸化型ニコチンアミドジヌクレオチド、酸化型ニコチンアミドジヌクレオチドリン酸、これらの組み合わせをそれぞれヌクレオチド類ともいう。
【００４３】
続いて、上記のセンサ素子および試料溶液を用いたピロリン酸の検出方法について、図２を参照しながら説明する。
【００４４】
まず、試料溶液を注入口１９から流路１８を介して、測定キャビティ１７に供給する（図２（ａ））。測定キャビティ１７が試料溶液で満たされるまで、試料料溶液の供給を続ける（図２（ｂ））。このとき、測定キャビティ１７中の試料溶液を外部ヒータ等で加熱し、酵素による化学反応を促進させるとよい。試料溶液の温度が３０〜４０℃になるように加熱し、５分〜１０分保持することが特に好ましい。
【００４５】
その後、測定キャビティ１７の容積を上回る量の試料溶液を導入し、開口部１１０から前記測定キャビティ１７の外側に前記試料溶液の一部を露出させる（図２（ｃ））。このとき、露出させる液滴の量が開口部１１０の外部への染み出さないことが望ましく、表面張力で球状の表面が維持できる限界を超えないことが特に好ましい。具体的には、キャビティ蓋をＨＭＤＳによる撥水処理や、開口部１１０の外周部に凸部を設け、液滴の大部分が開口部１１０の外部にはみ出ないようにするために、露出させる液滴の量は０．５μＬ以下が望ましい。液滴の濃縮による検出電流の増加を効果的に得るためには、露出させる液滴の量は０．２μＬ以上が好ましい。
【００４６】
次いで、一定の時間、測定キャビティ１７に供給された試料溶液を放置することで、（図（ｄ））、液滴１１１の溶媒成分である水分を蒸発させる（図２（ｅ））。放置する時間は、露出させた液滴の量、および外部の気温、湿度による。０．２μＬ以下の液滴の場合、５分以上放置すれば露出液滴は消失し、開口部１１０に濃縮層が形成される。このとき、測定キャビティ１７を外部ヒータ等で加熱することで溶媒の蒸発を促し、蒸発にかかる時間を短縮してもよい。また、液滴１１１を露出させる前後で、試料溶液の温度を変化させてもよい。露出している液滴１１１のみ温度を上昇させるために、外部よりレーザなどで液滴１１１を局所的に加熱してもよい。その後、液滴中の溶媒の蒸発が収まった後に（図２（ｆ））、測定極１２に一定の電圧を印可し、電流の測定を開始する。液滴が溶媒の蒸発により、小さくなった場合、または開口部１１０の外から露出しなくなったときに、蒸発速度は著しく低下する。そのため、これ以上の濃縮は起こらなくなり、測定される電流は、増加すると同時にその電流値のバラツキは小さくなる。なお、このとき、液滴１１１が僅かに残留する状態で、露出する液滴１１１を測定キャビティ１７内に戻しても、ほぼ同様の濃縮による電流増加効果が得られる。
【００４７】
（実施例１）
以下、本発明のバイオセンサでの検出方法についてさらに具体的に説明する。
【００４８】
まず、絶縁基板１１として厚さ７００μｍのシリコン基板に、プラズマＣＶＤ法によって、厚さ１００ｎｍの窒化ケイ素膜を堆積した。次いで、レジストを塗布し、フォトリソグラフィによって電極形成部のみのレジストを取り除いた。次に、電子線蒸着法によって、密着層として厚さ５ｎｍのチタン薄膜を堆積した後、厚さ１００ｎｍの金薄膜を堆積した。その後、リフトオフにより、不要な部分を除くことによって、測定極１２、対極１３、参照極１４、および端子を形成した。形成した様々な面積の測定極１２のうち、最も小さなものは、０．４９ｍｍ２であった。
【００４９】
測定キャビティ側壁１５は、測定キャビティ１７部にＰＭＭＡで作成した透明な金型（モールド）を基板に押し付け、測定キャビティ１７以外の箇所にＰＤＭＳをモールドの外側から注入し、８５℃、３０分の条件下で加熱・硬化を行い、最後にモールドを取り除くことによって形成した。測定キャビティ１７の高さ、すなわちＰＤＭＳ層の厚みは２３０μｍであった。この方法によって同時に、測定キャビティ１７に接続される流路１８および注入口１９も形成した。キャビティ部分には、直径６００μｍの開口部１１０を設けた厚さ３０μｍのＰＥＴフィルムで蓋をした。蓋の表面はＨＭＤＳ（ヘキサメチルジシラン）などで撥水処理を行った。表面は図９の三角印で示された箇所である。なお、作製した開口部１１０は機械加工によるバリが発生したため、その外周部が約２０〜４０μｍ程度盛り上がっていた（図９（ａ））。撥水処理後のＰＥＴフィルムに超純水を滴下してその接触角を測定したところ概ね１３５°程度であった（図９（ｂ））。開口部１１０から液滴を露出させた場合は、外周部が凸形状のため、すなわち開口部外周の凸部分Ｘ１６が形成されているため、周囲への液滴の染み出しが抑制され、その接触角は１５０°以上にも及んだ（図９（ｃ））。
【００５０】
蓋の開口部１１０は、測定極１２の真上に来るように配置した。形成した様々な容量の測定キャビティのうち、容量が最も小さいものは０．５μＬで、その直径は１．８ｍｍ、その電極面積は前述した通り０．４９ｍｍ２であった。
【００５１】
このセンサの検出感度を調べるために、以下の条件のもとで実験を行った。ＳＮＰタイピングを想定し、ＤＮＡプローブが１００塩基対の伸長反応を起こし、５００ｎＭの濃度までＰＣＲで増幅された場合に生成されるピロリン酸の濃度０．１ｍＭの４倍に相当する濃度のフェロシアン化カリウムを用い、サイクリックボルタンメトリー法により−０．６Ｖ〜０．８Ｖの間で酸化還元電流を測定した。掃引速度は、１００ｍＶ／秒とし、フェロシアン化カリウムが酸化されるときの最大電流値を合計４回繰り返して測定した。
【００５２】
試料溶液  ：０．４ｍＭ：フェロシアン化カリウムを含む硝酸カリウム水溶液
（１）  測定キャビティ蓋なし
（２）  測定キャビティ蓋あり
（３）  測定キャビティ蓋あり、試料溶液のうち０．２マイクロリットルを開口部１１０から露出させ濃縮後に測定
【００５３】
測定する電流値が大きく、その測定バラツキが少ないほうが好ましい。図４に示されるように、（１）の測定キャビティ蓋のない条件下では、測定中に試料溶液の溶媒成分が蒸発したため、検出電流値が測定を繰り返すにつれて増大し、測定値が大きくばらついた（誤差範囲はＣＶ値で約１２％）。
【００５４】
（２）の測定キャビティ蓋のある条件下では、蒸発が抑制されたため、（１）と比較して測定値のばらつきが極めて小さい。しかしながら、電極面積に比例して、検出電流値が低下した。
【００５５】
（３）の測定キャビティ蓋のある条件下で、液滴の濃縮後測定した。電極面積が小さく、試料溶液の容量が少ない場合において、電流値の増大が見られた。この検出電流値は、蒸発濃縮を行わない（２）の場合と比べて、最大で約２．２倍であった。さらに、測定回数に依存した電流値の増大は見られず、測定値のばらつきは（２）の場合とほとんど同等程度に極めて小さかった（誤差範囲はＣＶ値で１％以内）。
【００５６】
（実施の形態２）
図３は、本発明の一実施の形態を示すピロリン酸センサの構成およびその駆動シーケンスである。図３（ａ）に示されるように、実施の形態２におけるピロリン酸センサは、試料溶液を送液するための送液部３１２と測定キャビティへの送液を制御するための開閉バルブ３１３が、キャピラリー３１４を介して、接続されている。また開閉バルブ３１３と注入部３９は、流路３８を介して接続されており、この系によって、センサの測定キャビティ３７への送液が制御されている。さらに、センサ基板の直下にはヒータ３１５が接続されている。センサ部の構成は実施例１で示したものと同一である。図３（ｂ）に示した駆動シーケンスに基づき、試料溶液をセンサ部に供給、加熱、キャビティ外部へ露出、蒸発濃縮し、電流値の測定を行う構成となっている。
【００５７】
（実施例２）
以下の表１のように試料溶液２０μＬを調合し、図３（ａ）の構成を用いて実施例１で作成したセンサの測定キャビティ３７に０．５μＬだけ供給し、図３（ｂ）の駆動シーケンスを経てピロリン酸の測定を行った。図３（ｂ）より読み取れるように、露出させた液滴の量は０．２μＬであった。
【００５８】
【表１】
2012169108.tif 000015
【００５９】
測定極と測定キャビティ開口部との距離に相当するＰＤＭＳ層の厚みを変化させて測定を行った。図４に見られるように、ＰＤＭＳ層の厚みを薄くすることによって、検出電流値の増加が観測された。ＰＤＭＳ層の厚みが４００μｍのとき、厚み６８０μｍ以上の場合と比較して約１．３倍電流値が増大した。さらに、ＰＤＭＳ層の厚みが２３０μｍのとき、厚み６８０μｍ以上の場合と比較して約２倍電流値が増大した。これらの結果は、濃縮された反応種が測定極に近いほうが、電流値が大きくなることを示唆しており、本発明の効果が顕著にあらわれていることを示している。グラフには記載していないが、繰り返し測定を行った結果、測定値のばらつきはすべての測定においてＣＶ値で５％以下と小さかった。
【００６０】
（実施の形態３）
ＳＮＰタイピング測定対象のＤＮＡ試料液とともに、ＤＮＡのＳＮＰ配列に相補的な配列を持ち、かつＳＮＰ部位を有するＤＮＡプローブと、ＤＮＡポリメラーゼ、デオキシヌクレオチドを含む反応系を準備し、ＰＣＲ反応を起こすことによって、ＳＮＰタイピング測定対象のＤＮＡのＳＮＰ部位と、ＳＮＰ部位を有するＤＮＡプローブが相補的であった場合、ＤＮＡプローブを伸長させるとともにピロリン酸を生成することができる。一方、ＳＮＰタイピング測定対象のＤＮＡのＳＮＰ部位と、ＳＮＰ部位を有するＤＮＡプローブが非相補的な場合、ＤＮＡプローブの伸長は行われず、ピロリン酸は生成しない。その後、ＰＣＲ反応の終了した試料液をピロフォスターゼ、グリセルアルデヒド−３−リン酸デヒドロゲナーゼ、ジアホラーゼ、グリセルアルデヒド−３−リン酸、ヌクレオチド類、電子メディエータ、および緩衝液成分で構成される反応液と混合し、流路３８を介して測定キャビティ３７に移動させると、ＳＮＰタイプに応じたピロリン酸の定量を行うことができ、測定対象のＤＮＡのＳＮＰタイピングが可能となる。また、ＰＣＲ反応キャビティ中にＤＮＡポリメラーゼ、デオキシヌクレオチドを含む反応系担持しておけば、注入口３９からＳＮＰタイピング測定対象のＤＮＡ試料液のみを注入することによって、測定対象のＤＮＡのＳＮＰタイピングが可能となる。なお、ＰＣＲの反応キャビティからセンサの測定キャビティに試料液を移動させる方法は実施例２の要領で行えばよい。
【００６１】
（実施例３）
以下は、一実施の形態に係るＳＮＰタイピングセンサを用いて、試料溶液中のＤＮＡのＳＮＰタイピングを行った実施例について説明する。
【００６２】
まず、実施例１と同様にピロリン酸センサを作成した。測定方法は概ね実施例２と同等である。
【００６３】
ＳＮＰタイピングのモデルとして、テンプレートとしてＡＢ型とＯ型それぞれの血液から抽出したヒトゲノムを用いた。
【００６４】
ヒトゲノムの第六エクソンから、ＳＮＰ部位を含むＤＮＡ断片を増幅するプライマーとして、Ｃｏｎｔｒｏｌ  Ｐｒｉｍｅｒ１（５‘−ＴＡＧＧＡＡＧＧＡＴＧＴＣＣＴＣＧ−３’：配列番号１）およびＰｒｉｍｅｒ３（５’−ＴＴＣＴＴＧＡＴＧＧＣＡＡＡＣＡＣＡＧＴＴＡＡＣ−３’  ：配列番号２）、ＳＮＰタイピングを行うプライマーとして、Ｐｒｉｍｅｒ１‘（５’−ＴＡＧＧＡＡＧＧＡＴＧＴＣＣＴＣＧＴＧＡＣＧ：配列番号３）、Ｐｒｉｍｅｒ３を用いて測定を行った。このＳＮＰタイピングプライマーはＡＢ型の血液に対してのみ特異的に伸長反応を起こす。
【００６５】
まず、東洋紡製のＫＯＤ−ＦＸポリメラーゼ：０．２μＬ、２×ＫＯＤ−Ｂｕｆｆｅｒ：５μＬ、２ｍＭｄＮＴＰ：１μＬ、１０ｍＭ  Ｐｒｉｍｅｒ１：１μＬ、１０ｍＭ  Ｐｒｉｍｅｒ３：１μＬに、テンプレート１：１．８μＬを加え、ＰＣＲ反応を９８℃３０秒、６０℃３０秒、６８℃３０秒の条件で３５サイクル行った。さらにこのＰＣＲ産物を１０００倍に希釈したものをテンプレート２として２μＬ採取し、タカラバイオ製のＴａｑ−ポリメラーゼ：０．２μＬ、ＰＣＲ  ｍｉｘ：３μＬ、Ｐｒｉｍｅｒ１‘：２μＬ、Ｐｒｉｍｅｒ３：２μＬ、蒸留水１０．８μＬと混合し、ＰＣＲ反応を９５℃３０秒、６０℃３０秒、７２℃３０秒の条件で３５サイクル行った。この試料液のうち１０μＬだけを取り出し、２．５μＬの水と混ぜた後、以下の表２に示される反応液を混合し、実施例２の方法でセンサの測定キャビティに導入し、測定を行った。測定結果を表３に示す。
【００６６】
【表２】
2012169108.tif 000016
【００６７】
【表３】
2012169108.tif 000017
【００６８】
表３から明らかなように、ＡＢ型の血液由来のＤＮＡに対してのみ特異的に伸長反応を起こし、それによって生成されたピロリン酸が、測定キャビティにおける電気化学測定によって検出された。一方、Ｏ型では、特異的な伸長反応が起こらず検出されたピロリン酸が相対的に少ないため、電流は殆ど観測されなかった。また５回の連続測定によって求めたＣＶ値も小さく、ＳＮＰタイピング大きな影響を与えない。これらの結果より、極めて少量な検体で、かつ小型なセンサにおいて、ＳＮＰタイピング可能なレベルの電流値が得られたことと同時に、安定な測定を実現した。ＳＮＰ部位のモデルである一塩基ミスマッチのタイピングを少量検体でかつ小型なセンサにおいて行うことができた。
【００６９】
上記の実施形態から導出される発明が以下、記述される。
１．  試料溶液に含有されるピロリン酸を検出する方法であって、以下の工程を具備する：
以下を具備するピロリン酸センサを用意する工程（ａ）、
絶縁性の基板１１、
絶縁性の基板１１上に設けられた測定極１２、
絶縁性の基板１１上に設けられた対極１３、
絶縁性の基板１１上に設けられ、かつ貫通孔である測定キャビティ１７を内部に有する測定キャビティ側壁１５、
絶縁性の基板１１の法線方向から見たときに、測定キャビティ１７に重なる測定キャビティ蓋１６、および
前記測定キャビティ１７に連通する流路１８、ここで、
前記絶縁性の基板１１の法線方向（図１のＺ方向）から見たときに、前記測定キャビティ１７は、測定極１２の一部および対極１３の一部に重なり合い、
前記測定キャビティ蓋１６は、貫通孔である開口部１１０を具備し、
前記絶縁性の基板１１の法線方向から見たときに、前記開口部１１０は、前記測定キャビティ１７に含まれ、
前記測定キャビティ１７の容量を超える容量を有する前記試料溶液を、前記流路１８から前記測定キャビティ１７に供給し、液滴２１１を前記開口部１１０から露出させる工程（ｂ）、ここで、
前記液滴２１１は、球の形状を有しており、
前記球の形状は、液滴２１１の表面に生じる表面張力によって維持されており、
前記液滴２２１に含まれる試料溶液の少なくとも一部を蒸発させ、測定キャビティ１７に含まれる試料溶液のピロリン酸の濃度を増加させる工程（ｃ）、
前記測定極１２および対極１３を用いて前記試料溶液に流れる電流値を測定する工程（ｄ）、および
工程（ｄ）において測定された電流値に基づいて、ピロリン酸の濃度を決定する工程（ｅ）。
この発明は、試料溶液に含有されるピロリン酸が高感度かつ高精度で検出されることを可能にする。
【００７０】
２．前記項目１に記載の方法において、
前記開口部１１０は円形であり、
測定キャビティ１７は円筒形であり、
前記測定キャビティ１７の直径は、前記開口部１１０の直径の３倍以上である。
この発明は、試料溶液に含有されるピロリン酸が高感度かつ高精度で検出されることを可能にする。
【００７１】
３．前記項目１に記載の方法において、
前記開口部１１０の周囲に凸部が形成されている。
この発明は、試料溶液に含有されるピロリン酸が高感度かつ高精度で検出されることを可能にする。
【００７２】
４．前記項目１に記載の方法において、
前記液滴２１１は、０．２マイクロリットル以上０．５マイクロリットル以下の容積を有する。
この発明は、試料溶液に含有されるピロリン酸が高感度かつ高精度で検出されることを可能にする。
【００７３】
５．前記項目１に記載の方法において、
前記測定キャビティ１７は、４００マイクロメートル以下の高さを有する。
この発明は、試料溶液に含有されるピロリン酸が高感度かつ高精度で検出されることを可能にする。
【００７４】
６．前記項目１に記載の方法において、
前記測定キャビティ１７は、２３０マイクロメートル以下の高さを有する。
この発明は、試料溶液に含有されるピロリン酸が高感度かつ高精度で検出されることを可能にする。
【００７５】
７．前記項目１に記載の方法において、
前記試料溶液は、ピロフォスファターゼ、グリセルアルデヒド−３−リン酸デヒドロゲナーゼ、ジアホラーゼ、グリセルアルデヒド−３−リン酸、ヌクレオチド、電子メディエータ、および緩衝液成分を含有する。
この発明は、試料溶液に含有されるピロリン酸が高感度かつ高精度で検出されることを可能にする。
【００７６】
８．前記項目１に記載の方法において、
前記工程（ｃ）の前に、前記試料溶液を加熱する工程をさらに具備する。
この発明は、試料溶液に含有されるピロリン酸が高感度かつ高精度で検出されることを可能にする。
【００７７】
９．前記項目１に記載の方法において、
前記工程（ｃ）において、前記試料溶液が加熱される。
この発明は、試料溶液に含有されるピロリン酸が高感度かつ高精度で検出されることを可能にする。
【００７８】
１０．前記項目１に記載の方法を用いたＳＮＰタイピング法は、本発明の精神に含まれる。
【産業上の利用可能性】
【００７９】
本発明によれば、試料溶液中のピロリン酸を、非常に小型なセンサ素子で高感度かつ高精度で検出するピロリン酸の検出方法およびＳＮＰタイピング方法を提供することができる。
【符号の説明】
【００８０】
１１    絶縁基板
１２    測定極
１３    対極
１４    参照極
１５    測定キャビティ壁面
１６    測定キャビティ蓋
１７    測定キャビティ
１８    流路
１９    注入口
１１０  開口部
１１１  液滴
３１２  送液部
３１３  バルブ
３１４  キャピラリー
３１５  ヒータ
Ｘ１６  開口部外周の凸部分
【手続補正２】
【補正対象書類名】特許請求の範囲
【補正対象項目名】全文
【補正方法】変更
【補正の内容】
【特許請求の範囲】
【請求項１】
試料溶液に含有されるピロリン酸を検出する方法であって、以下の工程を具備する：
以下を具備するピロリン酸センサを用意する工程（ａ）、
絶縁性の基板、
絶縁性の基板上に設けられた測定極、
絶縁性の基板上に設けられた対極、
絶縁性の基板上に設けられ、かつ貫通孔である測定キャビティを内部に有する測定キャビティ側壁、
絶縁性の基板の法線方向から見たときに、測定キャビティに重なる測定キャビティ蓋、および
前記測定キャビティに連通する流路、ここで、
前記絶縁性の基板の法線方向から見たときに、前記測定キャビティは、測定極の一部および対極の一部に重なり合い、
前記測定キャビティ蓋は、貫通孔である開口部を具備し、
前記絶縁性の基板の法線方向から見たときに、前記開口部は、前記測定キャビティに含まれ、
前記測定キャビティの容量を超える容量を有する前記試料溶液を、前記流路から前記測定キャビティに供給し、液滴を前記開口部から露出させる工程（ｂ）、ここで、
前記液滴は、球の形状を有しており、
前記球の形状は、液滴の表面に生じる表面張力によって維持されており、
前記液滴に含まれる試料溶液の少なくとも一部を蒸発させ、測定キャビティに含まれる試料溶液のピロリン酸の濃度を増加させる工程（ｃ）、
前記測定極および対極を用いて前記試料溶液に流れる電流値を測定する工程（ｄ）、および
工程（ｄ）において測定された電流値に基づいて、ピロリン酸の濃度を決定する工程（ｅ）。
【請求項２】
請求項１に記載の方法であって、
前記開口部は円形であり、
測定キャビティは円筒形であり、
前記測定キャビティの直径は、前記開口部の直径の３倍以上である。
【請求項３】
請求項１記載のピロリン酸の検出方法において、
前記開口部の周囲に凸部が形成されている。
【請求項４】
請求項１記載のピロリン酸の検出方法において、
前記液滴は、０．２マイクロリットル以上０．５マイクロリットル以下の容積を有する。
【請求項５】
請求項１記載のピロリン酸の検出方法において、
前記測定キャビティは、４００マイクロメートル以下の高さを有する。
【請求項６】
請求項１記載のピロリン酸の検出方法において、
前記測定キャビティは、２３０マイクロメートル以下の高さを有する。
【請求項７】
請求項１記載のピロリン酸の検出方法において、
前記試料溶液は、ピロフォスファターゼ、グリセルアルデヒド−３−リン酸デヒドロゲナーゼ、ジアホラーゼ、グリセルアルデヒド−３−リン酸、ヌクレオチド、電子メディエータ、および緩衝液成分を含有する。
【請求項８】
請求項１記載のピロリン酸の検出方法において、前記方法は、
前記工程（ｃ）の前に、前記試料溶液を加熱する工程をさらに具備する。
【請求項９】
請求項１記載のピロリン酸の検出方法において、
前記工程（ｃ）において、前記試料溶液が加熱される。
【請求項１０】
請求項１に記載の方法を用いる、ＳＮＰタイピング方法。
【国際調査報告】
2012169108.tif 000018
2012169108.tif 000019
2012169108.tif 000020
2012169108.tif 000021